(57)【要約】【課題】刈り高さ調整用のアタッチメントを取り付けて使用する電気バリカンにおいて、前記アタッチメントを取り付けた状態のままで、刈り取られた毛が排出できる構造の電気バリカンを提供する。【解決手段】電気バリカン１は、係止部２１と櫛部２２とが配設された刈り高さ調整用のアタッチメント２と、刃部３７と係止部２２を支持する支持部３２とが配設された本体部３とを備え、アタッチメント２における係止部２１が配設されている側の面に、刃部３７によって刈り取られた毛を排出する排出部２３を有する。【選択図】図１
2019122596.tif 000002
【特許請求の範囲】
【請求項１】
係止部と櫛部とが配設された刈り高さ調整用のアタッチメントと、
刃部と前記係止部を支持する支持部とが配設された本体部とを備え、
前記アタッチメントにおける前記係止部が配設されている側の面に、前記刃部によって刈り取られた毛を排出する排出部を有すること
を特徴とする電気バリカン。
【請求項２】
前記排出部は、開口形状または切り欠き形状であること
を特徴とする請求項１記載の電気バリカン。
【請求項３】
前記櫛部は、第１櫛部と、前記刃部を挟むように前記第１櫛部と対向する第２櫛部とから構成され、前記第１櫛部の先端と前記第２櫛部の先端との間に、前記刃部の刃先が進入可能な隙間が設けられていること
を特徴とする請求項１または２記載の電気バリカン。
【請求項４】
前記第１櫛部と前記第２櫛部とのいずれかないしは両方に根元部が形成されており、前記根元部が前記アタッチメントに回動可能に連結されていること
を特徴とする請求項３記載の電気バリカン。
【請求項５】
前記係止部はレール形状であるとともに前記支持部は前記係止部と対応する溝形状であるか、または、前記係止部は溝形状であるとともに前記支持部は前記係止部と対応するレール形状であり、
前記本体部は、前記櫛部と前記刃部との間隔を調整する位置調整部をさらに備えること
を特徴とする請求項１〜４のいずれか一項記載の電気バリカン。
【発明の詳細な説明】
【技術分野】
【０００１】
本発明は、電気バリカンに関する。
【背景技術】
【０００２】
電気バリカンは、毛髪の刈り高さに応じて、刈り高さ調整用のアタッチメントを、本体部のアタッチメント支持部に取り付けて使用される。前記アタッチメントは、皮膚を刃部から保護するとともに、毛髪の刈り高さを規制する役割がある。
【０００３】
従来、前記アタッチメントを移動させて前記アタッチメントの櫛部と前記本体部の刃部との間隔を変更し、毛髪の刈り高さを調整する構成の電気バリカンが知られている（特許文献１：特開２０１４−１２４３２０号公報）。
【先行技術文献】
【特許文献】
【０００４】
【特許文献１】特開２０１４−１２４３２０号公報
【発明の概要】
【発明が解決しようとする課題】
【０００５】
特許文献１のように、刈り高さ調整用のアタッチメントを本体部に取り付けて使用する構成の従来の電気バリカンは、毛髪の先端側が前記櫛部から前記アタッチメント内に入り、刃部によって刈り取られると、刈り取られた毛（以下、毛屑と称する場合がある）が前記アタッチメント内に溜まる構造となっている。そのため、毛屑が前記アタッチメント内に溜まる都度、前記アタッチメントを前記本体部から外して、毛屑を排出させなければならず、手間がかかるという問題がある。また、毛髪の刈り取り作業がその都度中断されるので、刈り取り作業が円滑に進行し難いという問題がある。
【課題を解決するための手段】
【０００６】
本発明は、上記事情に鑑みてなされ、刈り高さ調整用のアタッチメントを取り付けて使用する電気バリカンにおいて、前記アタッチメントを取り付けた状態のままで、刈り取られた毛が排出できる構造の電気バリカンを提供することを目的とする。
【０００７】
一実施形態として、以下に開示するような解決手段により、前記課題を解決する。
【０００８】
本発明に係る電気バリカンは、係止部と櫛部とが配設された刈り高さ調整用のアタッチメントと、刃部と前記係止部を支持する支持部とが配設された本体部とを備え、前記アタッチメントにおける前記係止部が配設されている側の面に、前記刃部によって刈り取られた毛を排出する排出部を有することを特徴とする。
【０００９】
この構成によれば、前記アタッチメントの所定の側面に排出部を形成したことで、前記アタッチメントを本体部に取り付けた状態で、刈り取られた毛（毛屑）を排出できる。そのため、刈り取り作業が円滑に進行する。
【発明の効果】
【００１０】
本発明によれば、刈り高さ調整用のアタッチメントを本体部に取り付けた状態で毛屑を排出できるので、刈り取り作業が円滑に進行し、快適に扱うことができる電気バリカンとなる。
【図面の簡単な説明】
【００１１】
【図１】本発明の実施形態に係る電気バリカンの例を示す概略の斜視図である。
【図２】図１における内部構造を省略したII−II線断面図である。
【図３】上記実施形態の電気バリカンの側面図であり、図３Ａは櫛部と刃部との間隔を最小とした状態の図であり、図３Ｂは櫛部と刃部との間隔を最大とした状態の図である。
【図４】上記実施形態の電気バリカンの本体部の例を示す概略の斜視図である。
【図５】上記実施形態の電気バリカンのアタッチメントの他の例を示す概略の斜視図であり、図５Ａは櫛部を閉じた状態の図であり、図５Ｂは櫛部を開いた状態の図である。
【発明を実施するための形態】
【００１２】
以下、図面を参照して、本発明の実施形態について詳しく説明する。本実施形態は、一例として、刈り高さ調整用のアタッチメント２を本体部３に取り付けて使用する構成の電気バリカン１である。なお、実施形態を説明するための全図において、同一の機能を有する部材には同一の符号を付し、その繰り返しの説明は省略する場合がある。
【００１３】
図１〜図３に示すように、電気バリカン１は、一例として、使用者が把持する本体部２と、本体部２に配設された支持部３２に着脱可能に取り付けられるアタッチメント２とを備える。ここでは、電気バリカン１の各部の位置関係を説明し易くするため、図中にＸ，Ｙ，Ｚの矢印で向きを示している。一例として、刃部３７を矢印Ｚで示す上側とし、操作部３４を矢印Ｘで示す正面側として、以下に説明する。
【００１４】
本体部３の正面側は操作部３４となっており、動作を選択する選択ボタンが配設されている。図２に示すように、本体部３には、モータ７と、モータ７に電気を供給するとともにモータ７を制御する制御部９２とが内蔵されている。また、本体部２には、モータ７の駆動力を刃部３７に伝達する伝動機構１７が内蔵されている。
【００１５】
アタッチメント２には、櫛の先端が上側（矢印Ｚ方向）に向かうように櫛部２２が形成されている。櫛部２２は、背面側に配設された第１櫛部２２ａと、正面側（矢印Ｘ方向）に配設された第１櫛部２２ｂとから構成されており、第１櫛部２２ａと第２櫛部とは刃部３７を挟むように対向している。
【００１６】
本実施形態は、第１櫛部２２ａの先端と、第２櫛部２２ｂの先端との間に、刃部３７の刃先が進入可能な隙間Ｈ１が設けられている。この構成によれば、従来よりも、刃部３７の刃先を皮膚に近づけることができ、毛髪の刈り高さを１［ｍｍ］以下にすることができる。一例として、毛髪の刈り高さを０．５［ｍｍ］にすることができる。そして、下死点によって、刃部３７の刃先が、第１櫛部２２ａの先端及び第２櫛部２２ｂの先端から突出しない構造となっているので、皮膚を刃部３７から保護することができる。
【００１７】
アタッチメント２の右側面（矢印Ｙ方向）と左側面とには、本体部３に取り付けるための係止部２１が各々配設されている。本体部３の右側面（矢印Ｙ方向）と左側面とには、係止部２１を支持する支持部３２が各々配設されている。本実施形態は、係止部２１はレール形状であり、支持部３２は溝形状である。そして、レール形状の係止部２１が、係止部２１と対応する溝形状の支持部３２に支持されている。なお、前記レール形状は、連続的に突出している場合と、断続的に突出している場合とがある。
【００１８】
本体部３は、ラバー材質等からなるダイヤル形状の位置調整部３３を備えており、位置調整部３３を回動させることで、櫛部２の先端と刃部３７の刃先との間隔Ｇ１を調整する構成となっている。例えば、位置調整部３３を正回転させると、アタッチメント２が、レール形状の係止部２１を上側（矢印Ｚ方向）にスライド移動し、また、位置調整部３３を逆回転させると、アタッチメント２が、レール形状の係止部２１を下側にスライド移動する。
【００１９】
本実施形態は、アタッチメント２における係止部２１が配設されている側の面に、刃部３７によって刈り取られた毛を排出する排出部２３を有する。図１等に示す例では、アタッチメント２の両方の側面２ｃに、開口形状の排出部２３が各々同一形状で形成されている。
【００２０】
この構成によれば、アタッチメント２を本体部３に取り付けた状態で、刈り取られた毛（毛屑）を排出できる。そのため、刈り取り作業が円滑に進行する。また、本体部３の右側面（矢印Ｙ方向）と左側面とのいずれの側からも毛屑を排出できるので、利き手や、毛髪の刈り取り方向に依らず、速やかに毛屑を排出できる。
【００２１】
排出部２３の開口形状は、側面視で排出部２３に刃部３７が露出していることが好ましい。位置調整部３３の調整範囲内において、図３Ａは櫛部２２の先端と刃部３７の刃先との間隔Ｇ１を最小とした状態の図であり、図３Ｂは櫛部２２の先端と刃部３７の刃先との間隔Ｇ１を最大とした状態の図である。図３Ａと図３Ｂのいずれも、側面視で排出部２３に刃部３７が露出している。この構成によれば、位置調整部３３の調整範囲内のいずれにおいても、速やかに毛屑を排出できる。櫛部２２の先端と刃部３７の刃先との間隔Ｇ１は、例えば０．５［ｍｍ］以上７０［ｍｍ］以下とすることができる。
【００２２】
排出部２３の開口形状は、本体部３の背面側の傾斜に合わせた辺を有する多角形の窓形状となっている。これにより、長い毛屑も本体部３の背面側の傾斜に沿って速やかに排出でき、デザイン性も高くなる。上記以外に、排出部２３を楕円形の窓形状としてもよい。
【００２３】
また、排出部２３は、上述の開口形状に限定されず、切り欠き形状としてもよい。例えば、レール形状等の係止部２１を除いて、アタッチメント２の両方の側面２ｃに、前側（矢印Ｚ方向）が切り欠いた切り欠き形状とする場合があり、下側（矢印Ｘ方向の反対方向）が切り欠いた切り欠き形状とする場合がある。
【００２４】
排出部２３は、上述の開口形状または切り欠き形状に加えて、スライド式のシャッターや開閉式の扉を付設することが可能である。
【００２５】
図５Ａと図５Ｂとは、上記実施形態の電気バリカン１のアタッチメント２の他の例を示す概略の斜視図であり、図５Ａは第１櫛部２２ａと第２櫛部２２ｂとを閉じた状態の図であり、図５Ｂは第１櫛部２２ａと第２櫛部２２ｂとを開いた状態の図である。
【００２６】
図５Ａと図５Ｂとに示す例では、第２櫛部２２ｂの下側（矢印Ｚ方向の反対方向）に根元部２２ｃが形成されており、根元部２２ｃがアタッチメント２の本体に回動可能にヒンジ接続によって連結されている。この構成によれば、アタッチメント２を本体部３に取り付けて、例えば第１櫛部２２ａと第２櫛部２２ｂとを閉じた状態で毛髪の刈り取り作業を行い、その後、例えば第１櫛部２２ａと第２櫛部２２ｂとを開いた状態で刃部３７の刃先に引っ掛かった毛屑を除去する等の清掃作業を行うことができる。前記ヒンジ接続は、例えば、根元部２２ｃがピン形状であり、且つ、アタッチメント２の本体に、ピン形状の根元部２２ｃが挿入する孔部が形成されている（不図示）。
【００２７】
本実施形態は、上述の構造に限定されず、第１櫛部２２ａと第２櫛部２２ｂとのいずれかないしは両方に根元部２２ｃが形成されており、根元部２２ｃがアタッチメント２に回動可能にヒンジ接続によって連結されている構成とする場合がある。
【００２８】
本発明は、以上説明した実施例に限定されることなく、本発明を逸脱しない範囲において種々変更が可能である。例えば、上述の実施形態では、アタッチメント２に、開口形状の排出部２３を形成するとしたが、この例に限定されず、切り欠き形状の排出部２３を形成する場合がある。
【００２９】
例えば、上述の実施形態では、係止部２１はレール形状であるとともに支持部３２は係止部２１と対応する溝形状であるとしたが、この例に限定されず、係止部２１を溝形状として、支持部３２を係止部２１と対応するレール形状とする場合がある。
【００３０】
また、例えば、上述の実施形態では、本体部３は、櫛２２部と刃部３７との間隔を調整する位置調整部３３を備えるとしたが、この例に限定されず、アタッチメント２に、櫛２２部と刃部３７との間隔を調整する位置調整部を備えることが可能である。或いは、前記位置調整部を省くことも可能である。
【符号の説明】
【００３１】
１  電気バリカン
２  刈り高さ調整用のアタッチメント
３  本体部
２１  係止部
２２  櫛部、２２ａ  第１櫛部、２２ｂ  第２櫛部、２２ｃ  根元部
２３  排出部
３２  支持部
３３  位置調整部
３４  操作部
３７  刃部
【図１】
2019122596.tif 000003
【図２】
2019122596.tif 000004
【図３】
2019122596.tif 000005
【図４】
2019122596.tif 000006
【図５】
2019122596.tif 000007